(57)【要約】【課題】本発明は、使用中に吊掛具は脱落する危険がないと共に、過荷重の警告表示を使用者の目に留まりやすくし、なおかつ吊掛具を着脱する回動操作を簡単にする。【解決手段】支持具１に吊り下げられる吊掛具８は、下端部に取手具２５を固定し、取手具２５には収容部３１を設けると共に、引掛具２１の上端部には表示突起２９を設けてあり、表示突起２９を収容部３１に挿入して遊嵌し、取手具２５の上方から弾性体２７を介してねじ２６で引掛具２１を回動及び上下動可能に取り付けてある。弾性体２７は、ねじ２６を介して引掛具２１を押し上げようとするもので、引掛具２１の表示突起２９を取手具２５の収容部３１に収容する方向に力を作用する。表示突起２９には、中間部外周に赤色の表示部３０を全周にわたって設けてある。【選択図】図５
2008011965.tif 000002
【特許請求の範囲】
【請求項１】
天井面等に取り付けられる支持具に、シャフトに引掛具を設けた吊掛具を回動して着脱することができる吊掛装置において、吊掛具は、シャフトの下端部に、シャフトより外周方向に突出する取手具を固定すると共に、取手具には下方に開口する凹部である収容部を設けて成り、引掛具は、上端部に、外周のほぼ全周囲にわたって表示部を設けてある略円筒状の表示突起を設けると共に、この表示突起を取手具の収容部に挿入し弾性体を介して取り付けて成り、引掛具は、取手具に対して回動及び上下動可能であり、引掛具と取手具を一緒に持って吊掛具を回動操作できるようにすると共に、引掛具に設定以上の荷重がかかると、弾性体に抗して引掛具が下方に移動し、表示突起に設けた表示部が露出するようにしたことを特徴とする吊掛装置。
【発明の詳細な説明】
【技術分野】
【０００１】
本発明は、主に、室内の天井に取り付けて、物干具や物干竿あるいは観葉植物や絵画等を吊り下げて使用する吊掛装置に関するものである。
【背景技術】
【０００２】
従来より、前述のような吊掛装置として特開２００３−２２５４９８号公報に記載された発明が提案されている。この従来例においては、支持具には横長の嵌合孔を設けて、吊掛具には、上端に一対の係止突部を設けた球形フックを形成し、下端にリングを設けてあり、球形フックを嵌合孔から挿入して９０度回動して、吊掛具を支持具に取り付け、逆に９０度回動して取り外すものである。
【特許文献１】特開２００３−２２５４９８号公報
【発明の開示】
【発明が解決しようとする課題】
【０００３】
上記従来例においては、吊掛具は吊り下げられた状態で支持具に対して回動させると、取り外すことができる吊掛装置であって、引掛具であるリングはシャフトに対して回動可能とはなっていないので、吊掛具を支持具に取り付けてリングに洗濯物を吊り下げた場合に、人や風が洗濯物に当たって、洗濯物を回転する力が加わった時に、吊掛具が回動することがあり、そうすると吊掛具が落下してしまうことがあり大変危険であるという問題がある。
【０００４】
また、当然吊掛装置の耐荷重は設定されているが、使用者は吊り下げるものの重さがどのくらいあるのか、耐荷重以内であるのかを把握することは極めて難しく、リングに耐荷重以上の重いものを吊り下げることがありその場合には、吊掛装置が壊れるか、最悪の場合には取り付けられている天井を壊してしまうという問題がある。
【０００５】
本発明は、吊掛具を着脱する回動操作に支障をきたすことなく、上記の２つの問題を一部分の簡単な構造で解決することを課題としているものである。
【課題を解決するための手段】
【０００６】
上記課題を解決するために、天井面等に取り付けられる支持具に、シャフトに引掛具を設けた吊掛具を回動して着脱することができる吊掛装置において、吊掛具は、シャフトの下端部に、シャフトより外周方向に突出する取手具を固定すると共に、取手具には下方に開口する凹部である収容部を設けて成り、引掛具は、上端部に、外周のほぼ全周囲にわたって表示部を設けてある略円筒状の表示突起を設けると共に、この表示突起を取手具の収容部に挿入し弾性体を介して取り付けて成り、引掛具は、取手具に対して回動及び上下動可能であり、引掛具と取手具を一緒に持って吊掛具を回動操作できるようにすると共に、引掛具に設定以上の荷重がかかると、弾性体に抗して引掛具が下方に移動し、表示突起に設けた表示部が露出するようにして成るものである。
【０００７】
さらに、より具体的には、支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、シャフトの上端部に、挿入孔から挿入可能な挿入部を設け、挿入部には、伝達具の係合部に係合させて回動することによって伝達具を動かすことができる駆動部を設けて成り、駆動部が伝達具を介して抜止具を動かし、閉塞部が挿入孔の一部を閉塞することによって挿入部を抜け止めして吊掛具を支持し得るように成し、吊掛具を回動することによって、吊掛具を支持具から着脱することができる吊掛装置において、吊掛具は、シャフトの下端部に、シャフトより外周方向に突出する取手具を固定すると共に、取手具には下方に開口する凹部である収容部を設けて成り、引掛具は、上端部に、外周のほぼ全周囲にわたって表示部を設けてある略円筒状の表示突起を設けると共に、この表示突起を取手具の収容部に挿入し弾性体を介して取り付けて成り、引掛具は、取手具に対して回動及び上下動可能であり、引掛具と取手具を一緒に持って吊掛具を回動操作できるようにすると共に、引掛具に設定以上の荷重がかかると、弾性体に抗して引掛具が下方に移動し、表示突起に設けた表示部が露出するようにして成るものである。
【発明の効果】
【０００８】
以上のように本発明によれば、回動操作するための取手具が過荷重の警告を表示する装置の一部を兼用しているため、部品数の少ない単純な構造で、吊り下げた洗濯物等により引掛具が回動した場合でも、引掛具が空転するだけで、吊掛具が脱落する危険を回避できるという効果と過荷重の警告を表示する効果を同時に奏することができるものである。
【０００９】
また、取手具は、シャフトより外周方向に突出しているので、吊掛具を着脱するための回動操作がしやすいし、なおかつ、取手具の収容部に挿入される表示突起を太くして、表示突起に設けられる表示部を大きく見やすくすることができ、回動操作をするために注目する取手具の下方から、大きくてほぼ全周囲にわたる表示部が露出することになるので、どの向きからでも過荷重の警告表示が使用者の目に留まりやすく、見落としにくくすることができるという効果がある。
【００１０】
さらに上記の効果に加えて、引掛具と取手具を一緒に持って吊掛具を回動操作できるので、吊掛具を着脱する操作には支障がないという効果がある。
【実施例１】
【００１１】
支持具１は、上方が開口する有底円筒状の円筒部９の周縁に鍔部１０を有し、鍔付き帽子を上下逆にしたような形状の基体２の中に、抜止具４、伝達具５及び振り分けばね６を内蔵し、裏面に蓋体３を被せ、表面にカバー７を被せて成るものである。
【００１２】
基体２の円筒部９には、底板の内面に直線溝の誘導部１２を設け、この誘導部１２の中央に円形の貫通孔の挿入孔１１を設けてある。鍔部１０には、２箇所に取付孔１３・１３を設け、その中間に三角形状の凹部３２を設けてある。基体２には、取付孔１３・１３に挿通する取付ねじを隠して美観を向上させるために、カバー７を被せるようになっている。
【００１３】
抜止具４は、中央側を円弧状に切り欠いて閉塞部１４を形成し、反対側には上方に突出する受動部１５を設けてあり、２つを一組として基体２の誘導部１２に、それぞれの閉塞部１４・１４を対向するように、摺動可能に設けられる。
【００１４】
伝達具５は、略円板状で、基体２の中に回動可能に収容され、一面側（下面側）に楕円形状溝の案内部１８を設けると共に、その中央に略半球形状の挿入凹部１６を設け、挿入凹部１６の上部内面を六角形にして係合部１７を設けてある。また、挿入凹部１６の底面は貫通している。
【００１５】
また、伝達具５の他面側（上面側）には、一部切り欠いて一段低い面を形成してあり、そこに突起３３を設け、振り分けばね６の一端が取り付けられるようになっている。この振り分けばね６は、他端が基体２の三角形状の凹部３２の頂部に挿入されて係合され、伝達具５を回動した時、中間点を境にして振り分けるものである。
【００１６】
一対の抜止具４・４の受動部１５・１５は伝達具５の案内部１８に係合するようになっており、伝達具５が回動すると、案内部１８と受動部１５・１５の係合により、抜止具４・４は摺動され、閉塞部１４・１４が基体２の挿入孔１１の一部を閉塞したり、開口したりするようになっている。なお、抜止具４に係合部を設けることも可能であり、この場合、別体の伝達具は不要であり、抜止具と伝達具が一体となる。
【００１７】
吊掛具８は、シャフト１９の上端にばね２２を介して頭体２０を設け、その上端部には、略半球形状の挿入部２３を設け、さらにその上部には、外形形状が六角形の駆動部２４を形成してある。この駆動部２４は、伝達具５の係合部１７と係脱するものである。
【００１８】
また吊掛具８は、シャフト１９の下端にシャフト１９よりも太い取手具２５を固定し、その下部にリング状の引掛具２１を回動及び上下動可能に取り付けている。シャフト１９は、太いパイプの中に細いパイプを挿入してあり、伸縮して長さを調整できるようになっている。
【００１９】
取手具２５には、下方に開口する断面円形状凹部の収容部３１を設けると共に、引掛具２１の上端部には、シャフト１９よりも太い円柱状の表示突起２９を設けてあり、表示突起２９を収容部３１にその下端部から挿入して遊嵌し、取手具２５の上方から弾性体２７を介してねじ２６で引掛具２１を回動及び上下動可能に取り付けてある。
【００２０】
弾性体２７は、圧縮ばねであって、ねじ２６を介して引掛具２１を押し上げようとするもので、引掛具２１の表示突起２９を取手具２５の収容部３１に収容する方向に力を作用する。表示突起２９が収容部３１に収容され、引掛具２１に荷重がかかっていない状態では、弾性体２７はほとんど圧縮されていない状態になるように設定されている。
【００２１】
表示突起２９には、中間部外周に赤色の表示部３０を全周にわたって設けてある。さらにねじ２６の頭部下部には弾性体２７との間にすべり座金２８を介在させて、引掛具２１がスムーズに回動できるようにしてある。
【００２２】
引掛具２１に洗濯物等を掛けて荷重がかかると、弾性体２７が圧縮されて表示突起２９の一部が収容部３１の下端部から露出するようになっている。そして、設定された荷重以上の重いものを掛けると、図７に示すように表示部３０が露出し、過荷重であることを警告し、取り付けられている天井が壊れることを防止するようになっている。また、引掛具２１に洗濯物等を掛けた状態においても、引掛具２１は回動可能である。
【００２３】
なお、本実施例では、取手具２５は、シャフト１９より太い略円柱形であるが、シャフト１９とほぼ同径の円柱から放射状に鰭状の突条を多数設けたものでもよい。これらの取手具のように、シャフトの太さよりも太さ方向の外方に突出しているものであると、吊掛具８を着脱する回動操作がしやすいし、表示突起２９も太くすることができ、表示部３０を見やすくすることもできる。
【００２４】
支持具１を組み立てるには、抜止具４・４を、支持具１の基体２の誘導部１２に、受動部１５・１５を上向きに、閉塞部１４・１４を対向するようにして（基体２の挿入孔１１は開口している状態に）配設し、受動部１５・１５が案内部１８に係合するように、伝達具５を被せ、伝達具５の突起３３に振り分けばね６を取り付け、その先端を基体２の凹部３２に係合させ、蓋体３を被着し、天井等に取付ねじで取り付け、最後にカバー７を被着する。
【００２５】
図８に示すように、引掛具２１と取手具２５を手Ｈで一緒に持って、吊掛具８の挿入部２３を基体２の挿入孔１１から伝達具５の挿入凹部１６に挿入し、駆動部２４を係合部１７に押し当てて係合させ、右に９０度回転させると、伝達具５の案内部１８が抜止具４・４の受動部１５・１５を動かすので、抜止具４・４は誘導部１２に沿って中央（内側）に向かって摺動し、その閉塞部１４・１４が挿入孔１１の一部を閉塞する。閉塞された挿入孔１１は挿入部２３の直径よりも小さくなり、駆動部２４を係合部１７から離して、吊掛具８を下ろすと、挿入部２３が閉塞部１４・１４に抜け止めされ、吊掛具８は支持具１に支持される（図１、図２及び図１０の状態）。
【００２６】
この状態では、駆動部２４と係合部１７は、多少隙間があってぴったりと係合してはいないが共に回動できる状態であり、係合している状態ということができるものであるが、引掛具２１は回動可能であり、引掛具２１に吊り下げられた洗濯物等に風や人間が当たって、洗濯物等を回転する力が加わった時にも、引掛具２１が空転するだけであり、駆動部２４は回動せず、吊掛具８が脱落してしまうことはない。
【００２７】
なお、従来例のように引掛具が回動可能ではない吊掛具であると、駆動部と係合部の係合を外す距離と、さらにそこから十分に離す隙間距離を加えた寸法を下げなければならず、この実施例では、従来例に比べて、支持具をかなり薄くすることができる。
【００２８】
また、駆動部２４と係合部１７は係合している状態ではあるが、係合部１７が凹球面状になっているので、吊掛具８は、３６０度どの方向にも一定角度揺動することができるようになっている。さらに吊掛具８は、一定角度以上揺動すると、ばね２２が曲がって緩衝するようになっており、吊掛具８に揺動する方向に力がかかった場合でも、支持具１や吊掛具８が容易に壊れないようになっている。そして、吊掛具８が支持具１に支持された状態で引掛具２１に物干具や観葉植物や絵画等を吊り下げて使用したり、間隔を離して２つ取り付けて引掛具２１・２１に物干竿を掛け渡して使用したりするものである。
【００２９】
不使用時は、また図８に示すように引掛具２１と取手具２５を手Ｈで一緒に持って、吊掛具８を持ち上げ、挿入部２３の駆動部２４を係合部１７に押し当ててぴったりと係合させて、左に９０度回転させると、伝達具５の案内部１８が抜止具４・４の受動部１５・１５を動かすので、抜止具４・４は誘導部１２に沿って外側に向かって摺動し、その閉塞部１４・１４が挿入孔１１から後退し、挿入孔１１の全体が開口し、吊掛具８の挿入部２３を抜き外すことができる状態となる（図３、図４及び図１１の状態）。
【００３０】
吊掛具８に吊り下げられている洗濯物等の重さ等で、挿入部２３の下部の球形の形状により、抜止具４・４が開放する方向（外側方向）に力を受けても、抜止具４・４の受動部１５・１５は、伝達具５の略楕円状の案内部１８に係合しているので、容易に吊掛具８は抜け落ちることはない。
【００３１】
図１２は、吊掛具３４の他の実施例を示す要部の断面図である。
吊掛具３４は、シャフト３５の下端にシャフト３５の一部を覆うように円筒状の取手具３７をビス４４で固定し、その下部にリング状の引掛具３６を回動及び上下動可能に取り付けている。
【００３２】
取手具３７には、下方に開口する断面円形状凹部の収容部４３を設けると共に、引掛具３６の上端部には表示突起４１を設けてあり、表示突起４１を収容部４３にその下端部から挿入して遊嵌し、取手具３７の上方から弾性体３９を介してねじ３８で引掛具３６を回動及び上下動可能に取り付けてある。
【００３３】
表示突起４１には、中間部外周に赤色の表示部４２を全周にわたって設けてある。さらにねじ３８の頭部下部には弾性体３９との間にすべり座金４０を介在させて、引掛具３６がスムーズに回動できるようにしてある。
【００３４】
なお本実施例では、シャフト３５の一部を覆うように円筒状の取手具３７を固定してあり、取手具３７の収容部４３にシャフト３５を介して表示突起４１が遊嵌されているが、この構成のものも本発明の特許請求の範囲に含まれるものである。
【図面の簡単な説明】
【００３５】
【図１】使用状態を示す一部断面図。
【図２】図１のＡ−Ａ線断面図（挿入孔の一部が閉塞している状態の横断面図。ただし吊掛具の挿入部は図示していない。）。
【図３】挿入孔の全体が開口し、吊掛具を支持具から抜き外せる状態の一部断面図。
【図４】図３のＢ−Ｂ線断面図（挿入孔の全体が開口している状態の横断面図。ただし吊掛具の挿入部は図示していない。）。
【図５】上部を省略した図３のＣ−Ｃ線断面図。
【図６】引掛具と取手具の分解斜視図。
【図７】過荷重を警告する状態の吊掛具下部の正面図。
【図８】引掛具と取手具を一緒に持って、吊掛具を回動操作する時の斜視図。
【図９】支持具の分解斜視図。
【図１０】蓋体を外した状態の支持具の平面図（挿入孔の一部が閉塞している状態）。
【図１１】蓋体を外した状態の支持具の平面図（挿入孔の全体が開口している状態）。
【図１２】吊掛具の他の実施例を示す要部の断面図。
【符号の説明】
【００３６】
１    支持具
８    吊掛具
１９    シャフト
２１    引掛具
２５    取手具
２７    弾性体
２９    表示突起
３０    表示部
３１    収容部
３４    吊掛具
３５    シャフト
３６    引掛具
３７    取手具
３９    弾性体
４１    表示突起
４２    表示部
４３    収容部
【図１】
2008011965.tif 000003
【図２】
2008011965.tif 000004
【図３】
2008011965.tif 000005
【図４】
2008011965.tif 000006
【図５】
2008011965.tif 000007
【図６】
2008011965.tif 000008
【図７】
2008011965.tif 000009
【図８】
2008011965.tif 000010
【図９】
2008011965.tif 000011
【図１０】
2008011965.tif 000012
【図１１】
2008011965.tif 000013
【図１２】
2008011965.tif 000014